(57)【要約】本発明は、記憶媒体の一部に記録された非順次走査フレーム構造を有する選択されたビデオセグメントの再生速度を変更するシステムと方法を有する。選択されたビデオセグメントは、変更された再生速度について修正され、そして、修正されたビデオセグメントは、媒体の部分に排他的に記録される。修正されたビデオセグメントに含まれるデータの量を減少させるために、選択されたビデオセグメントの複数の非−ビデオパックが削除される。ビデオセグメントは、ビデオセグメント内のフレームを復号し、そのようなフレームをそれらの関連するフィールド画像に再符号化し、そして、少なくとも１つのフィールド画像を加えることにより、修正される。代わりに、ビデオセグメントは、ビデオセグメントに含まれている、少なくとも１つのフレーム又はフィールド画像を削除することにより修正されることが可能である。いずれの実施例でも、ビデオセグメントは、より滑らかなトリックモードと再生性能を発生するために再符号化されることが可能である。
2004534453.tif 000002
【特許請求の範囲】
【請求項１】
リライタブル記憶媒体において、前記記憶媒体の一部に記録された非順次走査フレーム構造を有する選択されたビデオセグメントの再生速度を変更する方法であって、
変更された再生速度について、前記選択されたビデオセグメントを修正するステップと、
前記修正されたビデオセグメントを、前記媒体の前記一部に排他的に記録するステップを有する、再生速度を変更する方法。
【請求項２】
前記修正されたビデオセグメントに含まれるデータの量を減少させる、前記選択されたビデオセグメントの複数の非−ビデオパックを削除するステップを、更に有する、請求項１に記載の方法。
【請求項３】
前記修正されたビデオセグメントに含まれる少なくとも１つのフレームの解像度を減少させるステップを、更に有する、請求項１に記載の方法。
【請求項４】
前記記録ステップ中に、前記修正されたビデオセグメントのビットレートを低下させるステップを、更に有する、請求項１に記載の方法。
【請求項５】
前記ビデオセグメントは、イントラ及び非−イントラフレームより構成され、そして、前記修正は、
前記イントラ及び非−イントラフレームを復号するステップと、
前記イントラ及び非−イントラフレームをそれらの関連するフィールド画像へ再符号化するステップと、
ダミーフィールド画像と繰返しフィールド画像より構成される少なくとも１つのグループを、前記選択されたビデオセグメントへ挿入するステップを、有する、請求項１に記載の方法。
【請求項６】
前記選択されたビデオセグメントへ挿入される前記ダミーフィールド画像と前記繰返しフィールド画像の数は、前記変更された再生速度に基づいている、請求項５に記載の方法。
【請求項７】
前記ダミーフィールド画像、前記繰返しフィールド画像及び、前記関連するフィールド画像の従来の配置について、前記修正されたビデオセグメントを選択的に復号し且つ再符号化するステップを、更に有する、請求項６に記載の方法。
【請求項８】
前記ビデオセグメントは、イントラ及び非−イントラフレームより構成され、そして、前記修正は、前記イントラ及び前記非−イントラフレームより構成されるグループから少なくとも１つのフレームを取り除くステップを有する、請求項１に記載の方法。
【請求項９】
前記ビデオセグメントは、イントラ及び非−イントラフレームより構成され、そして、前記修正は、
前記イントラ及び非−イントラフレームを復号するステップと、
前記イントラ及び非−イントラフレームの少なくとも１つから少なくとも１つのフィールド画像を取り除くステップを有する、請求項１に記載の方法。
【請求項１０】
リライタブル記憶媒体上に記録された非順次走査フレーム構造を有する選択されたビデオセグメントの再生速度を変更するシステムであって、
前記リライタブル記憶媒体の一部に記録されたビデオセグメントを選択的に読み出す記憶媒体回路と、
変更された再生速度について、前記選択されたビデオセグメントを修正するビデオプロセッサと、
前記修正されたビデオセグメントを、前記記憶媒体の前記一部に排他的に記録するビデオ記録回路を有する、再生速度を変更するシステム。
【請求項１１】
前記ビデオプロセッサは、前記修正されたビデオセグメントに含まれるデータの量を減少させるために、前記選択されたビデオセグメントの複数の非−ビデオパックを削除する、請求項１０に記載のシステム。
【請求項１２】
前記ビデオプロセッサは、前記修正されたビデオセグメントに含まれる少なくとも１つのフレームの解像度を減少させる、請求項１０に記載のシステム。
【請求項１３】
前記ビデオプロセッサは、前記記録ステップ中に、前記修正されたビデオセグメントのビットレートを低下させる、請求項１０に記載のシステム。
【請求項１４】
前記ビデオセグメントは、イントラ及び非−イントラフレームより構成され、そして、前記ビデオプロセッサは、
前記イントラ及び非−イントラフレームを復号し、
前記イントラ及び非−イントラフレームをそれらに関連するフィールド画像に再符号化し、
ダミーフィールド画像と繰返しフィールド画像より構成される少なくとも１つのグループを、前記選択されたビデオセグメントへ、挿入する、請求項１０に記載のシステム。
【請求項１５】
前記選択されたビデオセグメントへ挿入される前記ダミーフィールド画像と前記繰返しフィールド画像の数は、前記変更された再生速度に基づいている、請求項１４に記載のシステム。
【請求項１６】
前記ビデオプロセッサは、前記ダミーフィールド画像、前記繰返しフィールド画像及び、前記関連するフィールド画像の従来の配置について、前記修正されたビデオセグメントを選択的に復号し且つ再符号化する、請求項１５に記載のシステム。
【請求項１７】
前記ビデオセグメントは、イントラ及び非−イントラフレームより構成され、そして、前記ビデオプロセッサは、前記イントラ及び非−イントラフレームより構成されるグループから少なくとも１つのフレームを取り除く、請求項１０に記載のシステム。
【請求項１８】
前記ビデオセグメントは、イントラ及び非−イントラフレームより構成され、そして、前記ビデオプロセッサは、
前記イントラ及び非−イントラフレームを復号し、
前記イントラ及び非−イントラフレームの少なくとも１つから少なくとも１つのフィールド画像を取り除く、請求項１０に記載のシステム。
【発明の詳細な説明】
【０００１】
発明の背景
１．技術分野
本発明の配置は、一般的には、例えば、記録可能なディジタルビデオディスク、ハードドライブ及び光磁気ディスクのような、ディスク媒体上に記録されたプログラムについて進んだ動作の特徴を提供する方法及び装置に関連する。
２．関連技術の説明
従来のトリックモードは、異なる速度で記録されたビデオをユーザが見ることを可能とするが、そのビデオはその処理によっては恒久的に変更されない。ビデオが後のときに表示される場合には、ユーザは、異なる速度でビデオを見るために他のトリックモードを開始しなけばならない。しかしながら、重要なことには、多くのユーザは、一旦、ビデオがディスク上に記録されると、ビデオを修正することにより、ビデオのある特定の部分の再生速度を恒久的に変更したいと望みうる。そのような処理は、ユーザがトリックモードのコマンドを呼び出すこと無しに再生中に速度変化を許すことができる。不運にも、そのような方法で記録されたビデオを編集することを実行不可能にする、幾つかの大きな障害が存在する。
【０００２】
例えば、磁気テープ及びＤＶＤのような光ディスク媒体のような媒体の場合には、プログラム表示の中断を避けるために、媒体上に連続するようにプログラムデータを記録することが望ましい。典型的には、しかしながら、元の記録されたビデオにより占められている空間は、スローモーション再生のようなあるトリック効果を発生するために繰返されねばならない画像を記憶するのに十分に大きくない。これは、元のデータと同じ物理的な位置へ修正されたビデオセグメントを記憶することを困難にする。空間的な制限に加えて、ディスク又は他の媒体上の画像を繰り返すことは、ビデオの従来の画像構造を妨害し、これは、再生中のビデオの表示品質を劣化しうる。
【０００３】
しかしながら、早送り再生を発生するために記録されたビデオを修正することは、スローモーション再生を妨害する空間的な制限により影響されない。これは、早送り編集は、典型的には、記録されたビデオから画像を削除するためである。それにも関わらず、早送りビデオを生成することは、スローモーションの修正と同様に、ビデオの従来の画像構造に悪影響を及ぼす。
【０００４】
非順次走査フォーマット下で記録されたビデオにトリックモードを実行することは、特に、移動する物体が記録されるときには、他の問題も提示する。非順次走査フレームは、順次走査されないが、しかし、実際には、フレームを構成するために併合された２つのインターレースされたフィールドである。各インターレースされたフィールドは、典型的には完全なフレームに含まれている、約半分の画像情報を含む。これらのインターレースされたフィールドは、しかしながら、時間的に別個であり、そして移動する物体は、各フィールドの異なる位置に現れる。このように、フィールドが非順次走査フレームを構成するように結合される場合には、移動する物体は、引き伸ばされて現れる。
【０００５】
幾つかの高性能テレビジョンでは、非順次走査フレームからのフィールドは、２つの完全なフレームを構成するために、分離されそしてデインターレースされる。そのように、移動する物体は、新たに生成されたフレームの異なる位置に現れる。トリックモード再生中には、デインターレース処理により形成されたフレームは、典型的には、交互に繰返されそして表示される。これは、表示内の移動する物体は、１つの位置から他の位置へ、ジャンプ、又は振動して現れ、望ましくないアーティファクトとなる。
【０００６】
このように、必要なものは、非順次走査フォーマットの下で記録されたビデオの再生速度を変更できしかも、そのような記録されたビデオに関連する空間的及び構造的な制限を解決することができる装置である。更に、そのような装置は、トリックモード再生中に、この形式の記録されたビデオに関連する望ましくない振動アーティファクトを避けなければならない。
【０００７】
発明の概要
リライタブル記憶媒体において、本発明は、記憶媒体の一部に記録された非順次走査フレーム構造を有する選択されたビデオセグメントの再生速度を変更する方法を有する。配置では、本発明は、変更された再生速度について、選択されたビデオセグメントを修正するステップと、；修正されたビデオセグメントを、媒体の一部に排他的に記録するステップを有する。本発明は、修正されたビデオセグメントに含まれるデータの量を減少させ、選択されたビデオセグメントの複数の非−ビデオパックを削除するステップも、有することが可能である。更に本発明は、修正されたビデオセグメントに含まれる少なくとも１つのフレームの解像度を減少させるステップ及び、記録ステップ中に、修正されたビデオセグメントのビットレートを低下させるステップも有することが可能である。
【０００８】
上述の発明の１つの配置では、ビデオセグメントは、イントラ及び非−イントラフレームより構成され、そして、修正は、：イントラ及び非−イントラフレームを復号するステップと、；イントラ及び非−イントラフレームをそれらの関連するフィールド画像へ再符号化するステップと、；ダミーフィールド画像と繰返しフィールド画像より構成される少なくとも１つのグループを、選択されたビデオセグメントへ挿入するステップを、有することが可能である。更に、選択されたビデオセグメントへ挿入されるダミーフィールド画像と繰返しフィールド画像の数は、変更された再生速度に基づいていることが可能である。更に、本発明は、ダミーフィールド画像、繰返しフィールド画像及び、関連するフィールド画像の従来の配置について、修正されたビデオセグメントを選択的に復号し且つ再符号化するステップを更に有することが可能である。
【０００９】
上述の方法の他の配置では、ビデオセグメントは、イントラ及び非−イントラフレームより構成され、そして、修正は、イントラ及び非−イントラフレームより構成されるグループから少なくとも１つのフレームを取り除くステップを有することが可能である。代わりに、ビデオセグメントは、イントラ及び非−イントラフレームを有し、そして、修正は、：イントラ及び非−イントラフレームを復号するステップと、；前記イントラ及び非−イントラフレームの少なくとも１つから少なくとも１つのフィールド画像を取り除くステップを有する、ことが可能である。
【００１０】
他の配置では、本発明は、リライタブル記憶媒体上に記録された非順次走査フレーム構造を有する選択されたビデオセグメントの再生速度を変更するシステムを含む。上述のシステムは、：リライタブル記憶媒体の一部に記録されたビデオセグメントを選択的に読み出す記憶媒体回路と、；変更された再生速度について、選択されたビデオセグメントを修正するビデオプロセッサと、；修正されたビデオセグメントを、記憶媒体の一部に排他的に記録するビデオ記録回路を有する。システムは、上述の方法を実行する適するソフトウェアと回路も有する。
【００１１】
好ましい実施例の詳細な説明
記録可能な（レコーダブル）ＤＶＤ装置
本発明の配置に従って、種々の進んだ動作の特徴を実行する装置１００は、図１にブロック図の形式でされている。再書き込み可能な（リライタブル）ディスク媒体は、示された実施例でリライタブルＤＶＤとして具体化されている。多くの場合には、注意されるように、リライタブルディスク媒体は、例えば、ハードドライブ又は、光磁気ディスク（ＭＯＤ）でもよい、ＭＯＤの例は、ミニディスクである。更に、本発明は、ディジタルテープ機でも使用できる。実際は、本発明は、どのような他の適する記憶媒体装置でも使用できるので、特定の記憶媒体に限定されない。
【００１２】
装置１００は、この例ではリライタブルＤＶＤ１０２の、記憶媒体に書き込みそしてそれから読み出すことができる。以下の説明は主にリライタブルＤＶＤに関するが，他の適する記憶媒体も使用できるので、本発明は、それに限定されない。装置は、機械組立体１０４、制御部１２０、ビデオ／オーディオ入力処理経路１４０及びビデオ／オーディオ出力処理経路１７０を有する。異なる部分又は経路への大部分のブロックの配置は、自明であり、ところが、幾つかのブロックの配置は、便利の目的でなされそして、この装置の動作を理解するのに重要でない。
【００１３】
機械組立体１０４は、ディスク１０２を回転させるモータ１０６とディスク１０２が回転するにつれてディスク１０２上をわたり移動するように適応されるピックアップ組立体１０８を有する。ピックアップ組立体１０８のレーザは、ディスク１０２上のらせんトラック上へスポットを焼くことができ、そして、ビデオ及び／又はオーディオプログラム素材を記録し且つ再生するためにトラック上に既に焼き付けられたスポットに光を当てることができる。本発明を理解する目的で、ディスク１０２が１つ又は２つの面で記録できるかどうか、又は、両面記録の場合には、両面記録又は、後続のディスク１０２からの読み出しが、ディスク１０２の同じ面から又は両面から発生するかどうかは、無関係である。ピックアップ組立体１０８とモータ１０６は、サーボ１１０により制御される。サーボ１１０は、第１の入力として、ディスク１０２のらせんトラックから読み出されたデータの再生信号も受信できる。再生信号は、誤り訂正回路１３０への入力でもあり、これは、制御部の一部又は、ビデオ／オーディオ出力処理経路１７０の一部と考えられる。
【００１４】
制御部１２０は、制御中央処理ユニット（ＣＰＵ）１２２及びナビゲーションデータ発生回路１２６を有する。制御ＣＰＵ１２２は、ナビゲーションデータ発生回路１２６への第１の入力信号を供給でき、そして、サーボ１１０は、ナビゲーションデータ発生回路１２６への第２の入力信号を供給できる。サーボ１１０は、制御部１２０の一部であるとも考えられる。ナビゲーションデータ発生回路１２６は、マルチプレクサ（ＭＵＸ）１５４への第１の入力信号を供給でき、これは、ビデオ／オーディオ入力処理経路１４０の一部を構成できる。
【００１５】
ＭＵＸ１５４の出力は、誤り訂正符号化回路１２８への入力である。誤り訂正符号化回路１２８の出力は、ピックアップ１０８へ供給される記録可能な入力信号であり、これは、レーザによりディスク１０２のらせんトラック上に”焼き付け”られる。
【００１６】
更に加えて、制御及びデータインターフェースも、ＣＰＵ１２２が、ビデオ符号化器１４４、ビデオ復号器１７８及びオーディオ復号器１８２の動作を制御することを可能とするために設けられている。適するソフトウェア又はファームウェアは、制御ＣＰＵ１２２により実行される従来の動作のために、メモリ内に設けられている。更に、記録されたビデオの特徴を編集するプログラムルーチン１３４が、本発明の配置に従って、制御するＣＰＵ１２２に設けられている。
【００１７】
視聴者の活性化可能な機能のための制御バッファ１３２は、現在利用できる機能、即ち、再生、記録、逆転、早送り、スロー再生、ジャンプ、ポーズ／再生及び停止を示す。更に、編集バッファ１３６は、記録されたビデオ編集特徴を実行するためのコマンドを受信するために設けられる。
【００１８】
出力処理経路１７０は、誤り訂正ブロック１３０、トラックバッファ１７２、条件アクセス回路１７４及びデマルチプレクサ１７６を有する。トラックバッファ１７２は、ディスク１０２から読み出したデータを更に処理するために読出し且つ一時的に記憶することができる。このデータは、デマルチプレクサ１７６を介して且つビデオとオーディオ処理のそれぞれの経路へのデータの伝搬を制御できる、条件アクセス回路１７４により処理される。更に、出力処理経路１７０は、パケットビデオ符号化器１７８、ＴＶエンコーダ１８０、オーディオ復号器１８２及びオーディオＤ／Ａ１８４を有することができる。
【００１９】
ビデオ／オーディオ入力処理経路１４０は、従来のテレビジョン信号を、装置１００によりディジタル記録するためにディジタル化されたパケットデータに変換する信号処理回路である。入力処理経路１４０は、ＴＶデコーダ１４２とパケットビデオ符号化器１４４を有する。更に、入力処理経路１４０は、オーディオＡ／Ｄ１４６とオーディオ符号化器１４８を有する。通常動作中は、ディジタル化された信号は、マルチプレクサ１５０で結合され、そして、全体のパケットが構成されるまで記録バッファ１５２内に記憶される。オーディオ及びビデオデータパケットのグループが形成されるにつれて、それらは、ナビゲーションデータ発生ブロック１２６で発生される適切なナビゲーションパケットとマルチプレクサ１５４で結合される。パケットは、誤り訂正符号化回路１２８に送られる。誤り訂正符号化回路１２８は、入力処理経路１４０の一部であるとも考えられる。
【００２０】
ユーザが、ディスク１０２上に記録された部分を編集したい場合には、編集バッファ１３６が制御ＣＰＵ１２２に信号を送ることができる。１つの配置では、制御ＣＰＵ１２２は、パケットビデオ符号化器１７８に、ディスク１０２上の特定の位置から読まれているビデオに含まれる画像を復号しそして、復号された画像を含むビデオをパケットビデオ符号化器１４４へ送るように信号を送る。後に説明するように、代わりの配置では、選択された数のみのこれらの画像が、編集処理中に復号される必要がある。いずれの配置でも、画像に関連するオーディオは、オーディオ復号器１８２に転送される。制御ＣＰＵ１２２は、そして、オーディオ復号器１８２に、一時的にオーディオを記憶するように命令する。更なる空間を生成するために、しかしながら、オーディオは一般的には、編集処理中にビデオと再結合されない。むしろオーディオは、典型的には、オーディオ復号器１８２の記憶バッファがオーバーフローするときには、捨てられる。オーディオ成分を取り除くのに加えて、修正されたビデオに関連するサブピクチャ情報が分離されそして修正されたビデオと再統合されることが防止される。
【００２１】
一旦、パケットビデオ符号化器１４４で、復号された画像を含むビデオ信号が受信されると、ビデオ符号化器１４４は、画像を加え又は削除することによりビデオ信号を修正できる。以下に詳細に説明するように、ビデオ信号に画像を加えることは、スローモーションビデオを生成できそして、ビデオから画像を削除することは早送りビデオを生成できる。必要な場合には、ビデオ符号化器１４４は、修正されたビデオがディスク１０２上に配置されることができるように、これらの画像を再符号化する。
【００２２】
編集されたビデオ信号内の画像が再符号化された後に、オーディオは典型的には修正されたビデオ信号と結合されないので、ビデオ信号は、単にマルチプレクサ１５０を通して伝播する。そして、編集されたビデオは、通常のビデオの処理と同様な方法で処理される。即ち、修正されたビデオ信号は、マルチプレクサ１５４内でナビゲーションデータと結合され、そして、誤り訂正符号化回路１２８により誤り訂正される。後に説明するように、編集されたビデオ信号は、媒体上のその元の空間に、ディスク１０２上に記録して戻される。
【００２３】
特に、本発明は、ハードウェア、ソフトウェア又は、ハードウェアとソフトウェアの組合せで実現できる。本発明に従った機械読出し可能な記憶装置は、例えば、制御ＣＰＵ１２２のような、１つのコンピュータシステムの集中的な方法で、又は、異なる構成要素が幾つかの相互に接続されたコンピュータシステムをわたり拡散されている、分散された方法で、実現されうる。どのような種類のコンピュータシステム又はここに記載の方法を実行するように適合された他の装置も受け入れられる。
【００２４】
特に、ここに記載された本発明は、図１の制御ＣＰＵ１２２を意図するが、ハードウェアとソフトウェアの典型的な組合せは、ロードされ且つ実行されたときに、ここに記載の方法を実行するように、図１の制御部１２０と同様なコンピュータシステム及びＤＶＤ記録システムを制御する、コンピュータプログラムを有する汎用コンピュータシステムでもよい。本発明は、ここに記載の方法の実行を可能とするそして、コンピュータシステムにロードされたときにこれらの方法を実行することができる、全ての特徴を有するコンピュータプログラム製品に埋め込まれることも可能である。
【００２５】
本情況のコンピュータプログラムは、直接的に又は、以下のいずれか又は両方：（ａ）他の言語、コード又は表記への変換；及び（ｂ）異なる素材形式での再生、の後のいずれかに、情報処理能力を有するシステムに、特定の機能を実行することを発生することが意図された命令の組のどのような言語、コード又は表記、のどのような表現も意味しうる。ここに開示された本発明は、上述の制御ＣＰＵ１２２と互換性のあるオぺレーティングシステムに対する商業的に利用できる開発ツールを使用して、プログラマにより実装されうるコンピュータプログラム内に埋め込まれた方法でもよい。
【００２６】
ＤＶＤデータ構造
図２は、典型的なＤＶＤ配置を示す。しかしながら、示された構造の変形も可能であり、そして、本発明は、示された特定の実施例に限定されない。図２に示されたように、各ＤＶＤは、ビデオマネージャ２６とビデオタイトルセット（ＶＴＳ）２８を有する。ＶＴＳは、ビデオタイトルセット情報（ＶＴＳＩ）２７、メニューについてのオプションのビデオオブジェクトセット２９、実際のタイトルを含む１つ又はそれ以上のタイトルについてのＶＯＢＳ３０及びＶＴＳＩバックアップ３１を有する。各ＶＯＢＳ３０は、複数のビデオオブジェクト（ＶＯＢ）３２より構成される。各ビデオオブジェクト３２は、複数のセル３４を有する。各ＶＯＢＳ３０は、１つ又はそれ以上のセルへのポインタの集合を含む。このように、ＶＯＢＳ３０データは、セル３４を共に連結し、そして、プログラム又はセル３４がどのような順序で再生されるべきかを示す。特定のＶＯＢＳ３０内のセル３４は、任意の望みの順序で再生をするためにフラグが付されうる。例えば、それらは、順次に又はランダムに再生されうる。
【００２７】
各セル３４は、複数のビデオオブジェクトユニット（ＶＯＢＵ）３６を含む。ディスクのビデオコンテンツがあるＶＯＢＵ３６の各々は、典型的には、０．４から１．０秒の表示素材を含む。各ＶＯＢＵは、正確に１つのナビゲーションオパック（ＮＶ＿ＰＣＫ）３８で開始しそして、１つ又はそれ以上のオーディオパック（Ａ＿ＰＣＫ）４０、１つ又はそれ以上のビデオパック（Ｖ＿ＰＣＫ）４１及び１つ又はそれ以上のサブピクチャパック（ＳＰ＿ＰＣＫ）４２を含むことが可能である。更に加えて、各ＶＯＢＵ３６は、公称では、１つのグループオブピクチャ（ＧＯＰ）より構成される。
【００２８】
非順次走査フレーム構造フォーマットで記録されたビデオ表示に対する再生速度の変更
本発明の配置に従って、ユーザは、記憶媒体上に既に記録された非順次走査フレームビデオの再生速度を変更しうる。ユーザが、スローモーションビデオを発生するために、記録されたビデオを編集することを望む場合には、１つ又はそれ以上の画像がそのような効果を発生するためにビデオに挿入されうる。変更されたビデオは、オリジナルビデオにより前に占められていた同じ空間に、記憶媒体上に記録される。ユーザが早送りビデオを生成したいと望む場合には、記録されたビデオから１つ又はそれ以上の画像が削除される。スローモーション編集処理と同様に、ビデオはオリジナルのビデオの媒体空間に記録されることが可能である。いずれの処理でも、編集されたビデオは、より高い品質の再生とトリックモード動作を発生するために、再符号化されうる。
【００２９】
以下は、発明の配置を説明するのに役立つ、表示順序が非順次走査フレームを含むＭＰＥＧビデオストリームの従来のＧＯＰ構造である、
【数１】
2004534453.tif 000003
各イントラ（Ｉ）又は予測（Ｐ）フレームの間に２つの両方向予測（Ｂ）フレームを配置すると良好に動作することを、経験は示している。従って、示されている従来のＧＯＰ構造は、一般的に使用される。当業者は、他のＧＯＰ構造も一般的に使用されそして伝統的であると考えられることは、理解するであろう。
【００３０】
上述の従来のＧＯＰ構造に示されたフレームは、非順次走査フレームでありそして、太い印刷は非順次走査フレームとしての状態を示す。非順次走査フレームは、２つの別にインターレースされたフィールド画像が完全な画像を構成するために結合されるときに生成される。上述の非順次走査フレームは実際には、２つのインターレースされたフィールドを含む。以下に説明するように、非順次走査フレームをそれぞれの関連するインタレースされたフィールドに分割することが望ましい場合のある例がある。フレームからフィールド画像を区別するために、フィールド画像は通常の印刷で表示される。
【００３１】
以下の例は、フィールド画像に含まれる従来のＧＯＰ構造の例である。
【００３２】
【数２】
2004534453.tif 000004
示されたように、下付き文字”Ｔ”を有する画像は、トップフィールド画像を示しそして、下付き文字”Ｂ”を有する画像は、ボトムフィールド画像を示す。
【００３３】
本発明は特定の形式のＧＯＰ構造に限定されないので、本発明の配置を説明するために選択されたＧＯＰ構造は、本発明を実行するために使用され得る、ＧＯＰ構造の単になる例である。実際には、本発明は、Ｐフレーム及びとＩフレームのみ符号化するように設計されたＭＰＥＧ符号化器又は、Ｉフレームのみを符号化するように限定された符号化器に適用可能である。
【００３４】
図３Ａを参照すると、フローチャート３００は、スローモーション編集が、非順次走査フレームを含むビデオにどのように実行されるかを示す。図３Ｂから３Ｇは、スローモーション編集処理の例を示す。特に、図３Ｂから３Ｇは、半分の再生速度を発生するために単一の従来のＧＯＰがどのように変更されうるかを示すが；しかしながら、本発明は、ビデオのどのような部分も標準再生よりも遅い任意の速度で再生するように変更されるので、そのように限定されないことに、注意すべきである。
【００３５】
図３Ａのステップ３１０で開始すると、装置１００は、記憶媒体からのデータの読出しを開始する。ステップ３１２では、図１のデマルチプレクサ１７６は、非ビデオ成分から記録されたビデオ信号のビデオ成分を分離できそして、非ビデオ成分を捨てることができる。非ビデオ成分の例は、Ａ＿ＰＣＫ４０及びＳＰ＿ＰＣＫ４２である。ＮＶ＿ＰＣＫ３８は、しかしながら、ＤＶＤ規格に従って、各ＶＯＢＵ３６はＮＶ＿ＰＣＫ３８を有することが要求され、編集されているシーンのビデオ信号に残される。次に、ビデオ信号を構成する画像は、ステップ３１４に示されたように、パケットビデオ復号器１７８により復号されそして、パケットビデオ符号化器１４４へ送られる。図３Ｂは、パケットビデオ符号化器１４４に提示されている非順次走査フレームを含む従来のＧＯＰの構成を示す。
【００３６】
図３Ａを再び参照すると、ステップ３１６で、ビデオ信号内の各フレームは、その関連するフィールド画像に再符号化される。この処理の例は図３Ｃに示され、下付き文字”Ｔ”はトップフィールド画像を表しそして、下付き文字”Ｂ”はボトムフィールド画像を表す。これらのフィールド画像は、標準フォントで示された、図３Ｂの太いフォントで示されたフレームから区別される。
【００３７】
図３Ｃに示されたように、ビデオ信号内の１つ又はそれ以上のＩフレームは、Ｉフィールド画像とＰフィールド画像に再符号化される。個々のフィールド画像は完全なフレームよりも少ない情報（約５０％少ない）を有する。各Ｉフレームを２つのＩフィールド画像に再符号化することは、記憶媒体に記憶されねばならない情報の量を必ずしも減少しないが、；しかしながら、各ＩフレームをＩフィールド画像とＰフィールド画像に再符号化することは、Ｐフィールド画像は典型的には、Ｉフィールド画像よりも少ない記憶空間を必要とするので、記憶媒体上に記憶される必要にある情報の量を減少するのに役立つ。しかしながら、Ｉフレームは、他の適するフォーマットに再符号化されうるので、本発明は、それに限定されないことに、注意すべきである。
【００３８】
Ｉフレームに加えて、１つ又はそれ以上の非−ＩフレームがＩとＰフィールド画像へ再符号化されうる。ビデオに画像を加えることは、追加された画像を記憶するために新たなＧＯＰを構成する必要を発生しうる。そのように、これらの新たなＧＯＰの各々は、残りの非−イントラフレームを構成し且つ表示するための参照フレーム又はフィールドを必要とする。非−ＩフレームをＩ及びＰフィールド画像に再符号化することは、任意の新たなＧＯＰが、残りの非−イントラフレームを表示するために、必要な参照フレーム又はフィールドを有することを保証する。例は、図３Ｃにも示され、フレームＰ８は、フィールド画像Ｉ８ＴとＰ８Ｂに再符号化されることが可能である。しかしながら、任意の他の適するフレームが参照画像として働くために再符号化されうるので、図３Ｃは、単に例であることに注意すべきである。
【００３９】
図３Ａのステップ３１８では、１つ又はそれ以上のダミーフィールド画像は、ビデオ信号に挿入されうる。編集されているビデオ内の非順次走査フレームをフィールド画像に再符号化することは、ステップ３１８でビデオにダミーフィールド画像の挿入を許す。ダミーフィールド画像を挿入する例は、図３Ｄに示されている。ダミーフィールド画像は、単に特定のＩフィールド又は、非−Ｉフィールド画像の繰返しである、ＭＰＥＧ画像である。特に、しかしながら、ダミーフィールド画像の離散コサイン変換（ＤＣＴ）係数と動きベクトルは典型的には、ゼロに設定される。このように、ダミーフィールド画像は、記憶媒体上に非常に少ない記憶空間を必要とする。典型的には、ダミー画像は、既に圧縮されたフォーマットであるので、それゆえに、記憶媒体上に記憶される前に再符号化される必要はないが、；しかしながら、本発明は、これに関して限定されない。
【００４０】
１つの配置では、ダミーフィールド画像は、変更されるビデオ信号の各フィールド画像の前又は後ろのいずれかに配置されうるが；しかしながら、ダミーフィールド画像は、ビデオ信号のどこにでも挿入されうるので、本発明は、これに限定されない。ビデオ信号に挿入されるダミー画像の数は、選択されたスローモーション速度に依存する。例えば、単一のダミーフィールド画像は、標準再生速度の半分である再生速度を生じるために、各Ｉフィールド画像を含む、ビデオ信号の各フィールド画像の前又は後のいずれかに挿入されることが可能である。図３Ｄは、この処理の例である。より緩やかな再生速度は、より多くの数のダミーフィールド画像の挿入を必要とする。
【００４１】
これらのダミーフィールド画像は、編集されているビデオのどこにでも挿入されうるが、１つの配置では、ダミーフィールド画像は、画像の振動として知られる動きのアーティファクトを制御することを助けるように、戦略的に挿入されることが可能である。即ち、トップフィールド画像であるダミーフィールド画像が、順次に配置されることが可能である。例えば、望ましい再生が標準再生速度の３分の１である場合には、コピーされるトップフィールド画像の前又は後のいずれかに、２つのダミートップフィールド画像が挿入される。更に、元のトップフィールド画像は、ダミートップフィールド画像の間に配置されうる。同様に、この処理は、ボトムフィールド画像についても複製されうる。図３Ｅは、この手順の例を示す。このようにダミーフィールド画像を挿入することは、特定のフィールド画像とその関連するダミーフィールド画像が、連続する順序で表示されることを可能とする。これは、インターレースされた画像がトリックモードで表示されるときにしばしば発生する、振動する画像の問題を除去するのに役立つ。
【００４２】
図３Ｅに戻ると、再生中に、トップフィールドＰ１Ｔとその２つのダミーフィールド画像Ｐ１Ｔｄ１，Ｐ１Ｔｄ２は、トップフィールド画像の連続する挿入により、連続して表示されることが可能である。同様に、ボトムフィールドＰ１Ｂとその関連するダミーフィールド画像Ｐ１Ｂｄ１，Ｐ１Ｂｄ２も、連続して表示されることが可能である。移動する物体がトップフィールドＰ１Ｔの場合には、それは、ダミーフィールド画像Ｐ１Ｔｄ１，Ｐ１Ｔｄ２内でと同じ位置である。ボトムフィールドがこれらのトップフィールド間に挿入された場合には、移動する物体がボトムフィールドの異なる領域に配置されているので、移動する物体は、表示装置上でジャンプして行ったり来たりして現れる。従って、非順次走査フレームが、それらの関連するフィールド画像に再符号化されていない場合には、トップ及びボトムフィールド画像は、図３Ｅに示されているように、連続してグループ化されることが出来ない。この結果、元のトップ及びボトムフィールドとダミートップ及びボトムフィールは、交互に表示され、これは、編集されたビデオの再生中に振動アーティファクトを発生する。
【００４３】
ダミー画像が図３Ｄに示されたようにビデオ信号内に配置された後に、ＧＯＰは、図３Ｆに示された及び図３Ａのステップ３２０に示されたように２つ又はそれ以上の新たなＧＯＰに分割されうる。編集されているビデオの一部の画像の数が、ダミー画像の追加により増加され、そして、工業規格はＧＯＰが含むことのできるフィールドの数を３６に制限しているので、ビデオ信号を２つ又はそれ以上の新たなＧＯＰに分割することが望ましい。これは、ＧＯＰ当り１８フレームの最大値に等しい。元のＧＯＰ又は新たに生成されたＧＯＰのいずれかに配置できるのは、３６フィールド又は１８フレームまでであるので、等しい数の画像が、各ＧＯＰに配置されるのが好ましく、それにより、従来のＧＯＰ構造に従うために、望まれるならば、各ＧＯＰが更なる処理を受けることを可能とする。図３Ｆは、この結果の例を示す。
【００４４】
新たなＧＯＰは、ステップ３２２に示されたように、記憶媒体上に記録される。本発明の配置に従って、編集されたビデオは、元のビデオが前に占めていた同じ空間に配置されることが可能である。これは、ビデオに配置されたダミーフィールド画像は、符号化された画像情報を有するしていないので、非常に少ない記憶空間を必要とするためである。更に、記憶空間がこれらのフィールド画像を元の空間に入れるのに要求されるものは何でも、消去された非ビデオ情報を記憶するのに前に使用された記憶媒体上の空間を使用して適応されうる。
【００４５】
１つの配置では、しかしながら、編集されたビデオを元の記録位置へ入れるために記憶媒体上に十分な空間がない場合には、編集されたビデオ内のある特定の数のフィールド画像が、復号されそして、それらの画像解像度を減少させるために、再符号化される。そのような処理は、画像について要求される記憶空間の量を減少させることが可能である。代わりの配置では、ビデオが記憶媒体上に配置されながら、ビデオ信号のビットレートが、低下される。ビットレートを低下することは、あるビデオデータの損失及び画像解像度の対応する減少となり、そのような処理は修正されたビデオシーケンスを記録するために媒体上に要求される物理空間の量を減少させることができ従って、編集されたビデオ信号が元の記録位置に入ることを可能とする。
【００４６】
代わりの実施例では、一旦、ダミー画像が追加されると、編集されたビデオを含む１つ又はそれ以上のＧＯＰを、上述のように再生されたフィールド画像を含む従来のＧＯＰ構造と一致するように再符号化することができる。新たなＧＯＰを従来のＧＯＰ構造へ再符号化することは、より滑らかな再生を生成することが出来そして、トリックモード性能を改善できる。そのようにするために、ＧＯＰ内の幾つかのフィールド画像は、復号されそして、続いて、従来のＧＯＰフォーマットへ再符号化される。例えば、図３Ｆと３Ｇを参照すると、従来のＧＯＰは典型的には２つのＢフレーム又は４つのＢフィールドで開始するので、ＧＯＰ１のフィールド画像Ｂ０Ｔ，Ｂ０Ｔｄ，Ｂ０Ｂ，びＢ０Ｂｄは、復号されそして再符号化される必要がない。例を続けると、フィールド画像Ｂ１ＴとＢ１Ｔｄは、しかしながら、復号されそしてフィールド画像Ｉ１ＴとＰ１Ｔへ再符号化される。これらのフィールド画像は、ＧＯＰ１についての参照フレームとして働くことが可能である。この処理は、図３Ｇに示されたように、ＧＯＰ１とＧＯＰ２の構造が、従来の構造に一致するまで継続する。しかしながら、他の適するシーケンスが、編集されたビデオ内の１つ又はそれ以上のＧＯＰを従来のＧＯＰに再符号化するのに使用されることが可能であるので、前述の説明は、単なる例であることに、注意すべきである。
【００４７】
他の配置では、ダミーフィールド画像を追加する代わりに、１つ又はそれ以上の繰返しフィールド画像を、スローモーション再生を発生するために、編集されているビデオに追加することができる。代わりに、ダミーフィールドと繰返しフィールド画像の組み合わせが、スローモーション再生を発生するために編集されているビデオに追加されることが可能である。繰返しフィールド画像は、親フィールド画像の複製である未圧縮の画像である。繰返しフィールド画像を加えることは、ダミーフィールド画像を挿入することの処理に似ている処理を必要とする。１つの顕著な差は、しかしながら、繰返しフィールド画像は、記憶媒体に記録される前に符号化される必要があることである。
【００４８】
図４Ａを参照すると、フローチャート４００は、非順次走査フォーマットの下で生成されたビデオに、どのように高速動作編集が実行されるかの２つの方法を示す。図４Ｂから４Ｆは、２倍の再生速度を生成するために、２つのＧＯＰに適用されるような、高速動作編集処理の各々の例を示すが、；しかし、本発明は、ビデオのどのような部分も標準の速度よりも速い任意の速度での再生に変更されうるので、そのように限定されないことに、注意すべきである。ステップ４１０では、装置１００は、記憶媒体からデータを読出しを開始する。ステップ４１２で、図１のデマルチプレクサ１７６は、Ａ＿ＰＣＫ４０とＳＰ＿ＰＣＫ４２のような、非−ビデオ成分から記録されたビデオ信号のビデオ成分を分離できる。非−ビデオ成分は、そして、捨てられる。図３Ａのスローモーション処理と同様に、ＮＶ＿ＰＣＫ３８は、編集されているビデオ信号に残りうる。図４Ｂは、パケットビデオ符号化器１４４に提示される２つの従来のＧＯＰの構成を示す。
【００４９】
ステップ４１４に示されたように、編集されるビデオが各編集されるＧＯＰを従来のＧＯＰ構造に従わせるために再符号化ステップを受けない場合には、ビデオ信号からＢフレームが除去される。この処理は、図４Ａのステップ４１６と図４Ｃに示されている。図４Ｃを参照すると、除去されたＢフレームは、連続するＢフレームを含む長いグループではなくむしろ、ＧＯＰを通して分散されることが可能である。このようにＢフレームを削除することは、より滑らかな再生とトリックモード性能を発生するので、好ましい。例えば、図４Ｃでは、フレームＢ０とＢ１は、削除されそして、フレームＢ４、Ｂ６及びＢ７が削除される前に、フレームＢ３が維持される。続いて、フレームＢ９が、維持されそして、削除処理が継続する。しかしながら、図４Ｃで示された例は、任意の他の適する削除シーケンスが使用されうるので、本発明を、この特定の削除シーケンスに限定するものではないことに、注意するべきである。
【００５０】
ビデオ信号から削除される画像の全体的な数は、選択された高速動作速度に依存する。例えば、標準の再生の２倍の速さの再生速度を生じるために、各ＧＯＰに含まれる半分の画像が、ビデオ信号から削除される。これは、図４Ｃで達成される結果である。図４Ａのステップ４１８では、装置１００は、Ｂフレームの削除は、望ましい早送り再生速度を発生するために十分であったかどうかを決定する。そうでない場合には、装置１００は、ステップ４２０に示されたように、ビデオからＰフレームを削除することを開始できる。Ｂフレームの削除の場合のように、削除されるＰフレームは、ＧＯＰを通して分散されるのが好ましい。
【００５１】
一旦適切な数の画像が消去されると、編集されたＧＯＰからの残りの画像は、ステップ４２２に従ってそして図４Ｃに示されているように、編集されたビデオ信号に含まれる１つ又はそれ以上のＧＯＰを満たすように、統合される。これらの画像は、図４Ａのステップ４２４に示されているように、記憶媒体上に記録される。スローモーション編集処理と対照的に、ビデオから１つ又はそれ以上の画像が削除されているので、早送り編集されたビデオは、簡単に、元の媒体の空間に適合することができる。１つの配置では、ダミーデータが、ステップ４２６に示されたように、残りの記憶媒体空間をわたり記録され得る。この処理は、レコーダが、編集されたビデオを受けない記憶媒体の部分上にまだ残る元のビデオの部分を表示することを、防止する。例として、残りの空間に配置された元のビデオのＶ＿ＰＣＫ４１内にあるストリームＩＤは、ビデオが無視されることを装置１００に命令するために修正されることが可能である。一旦、ストリームＩＤは修正されると、現在はダミーデータと考えられる、ビデオは、その元の位置に、記憶媒体上に記録して戻される。しかしながら、他の良く知られた技術が、装置１００に、編集処理により残っている元の媒体空間内の残りのビデオを無視させるために使用されるので、本発明は、この特定の例に限定されないことに、注意すべきである。
【００５２】
ステップ４１４に戻ると、編集されたＧＯＰは、従来のＧＯＰの構成と合わせるために再符号化されるべきである場合には、ビデオ内の非順次走査フレームは、ステップ４１５に従って、復号される。ステップ４１７では、フレームが編集されているビデオ信号から取り除かれる。これらの画像を含むＧＯＰは従来のＧＯＰと合わせるために再符号化されるので、−その例は図４Ｄに示されている−、それはビデオ信号から画像が削除されることに関しては無関係であるが、；しかしながら、前述の早送り編集処理とで説明したのと同様に、より滑らかな再生を生成するために、捨てられる非順次走査フレームは、ＧＯＰを通して分散されるのが、好ましい。削除される画像の数は、望ましい早送り再生速度に基づいている。図４Ｅは、２倍の再生速度を発生するために図４Ｄの２つのＧＯＰに適用される、この処理を示す。しかしながら、他の適する削除シーケンスが望ましい再生速度を生成するのに使用されうるので、図４Ｅに示された例は、この特定の削除シーケンスへ本発明を限定するのではないことに注意すべきである。
【００５３】
図４Ａのステップ４１９では、残りの画像は、統合されそして、これらの画像は、図４Ａのステップ４２１と図４Ｆに示されたように、非順次走査フレームを含む従来のＧＯＰの構造と合うように再符号化される。しかしながら、他の適する再符号化シーケンス使用されうるので、図４Ｆに示された例は、この特定の再符号化シーケンスへ本発明を限定するものではないことに、注意すべきである。ステップ４２３では、一旦、画像が再符号化されると、画像は、元のビデオにより前に占められたいた媒体空間に、記憶媒体上に記録されることが可能である。更に、そして、ステップ４２６に関して前述したように、ダミーデータが、残りの記憶媒体空間に挿入される。
【００５４】
図５Ａは、非順次走査ビデオに早送り編集が実行される他の配置を示すフローチャート５００である。図５Ｂから５Ｅは、２倍の速度の再生を生成するための、２つのＧＯＰに適用される特定の高速動作編集処理の例を示すが、；しかし、ビデオの任意の部分が特定のこの配置に従って、標準再生よりも速い速度で再生するように変更されうるので、本発明は、この例に限定されないことに注意すべきである。フローチャート４００と同様に、図５Ａのステップ５１０で、装置１００は、媒体からデータを読み出すことを開始できる。ステップ５１２では、図１のデマルチプレクサ１７６は、非−ビデオ成分から、記録されたビデオ信号のビデオ成分を分離できる。非ビデオ成分は、ナビゲーションデータを除いて、捨てられうる。次に、ビデオ信号を構成する画像は、パケットビデオ復号器１７８により復号され、そして、ステップ５１４に示されたように、ビデオ符号化器１４４に転送される。図５Ｂは、ビデオ符号化器１４４に提示される２つのＧＯＰを示す。
【００５５】
この配置では、しかしながら、幾つかのフィールドは、図５Ａのステップ５１６に示されているように、望みの早送り再生速度に基づいて、ビデオ信号から削除されうる。図５Ｃは、望ましい再生速度が標準再生速度の２倍である場合の処理を示す。示されたように、フィールド画像は、ビデオ信号を含む各フレームから、削除される。しかしながら、任意の他の再生速度が達成されそして任意の他の適する削除シーケンスが特定の速度を達成するために使用されうるので、図５Ｃは、単に例であることに、注意すべきである。更に、適用されるときには、連続しないようにフィールド画像を削除することが好ましい。
【００５６】
図５Ａのステップ５１８と図５Ｄに示されたように、残りのフィールド画像は、統合される。図５Ａのステップ５２０と図５Ｅに示されたものでは、これらのフィールド画像は、フィールド画像を含む従来のＧＯＰの構造に合わせるように再符号化される。フィールド画像は、そして、ステップ５２２に示されたように、元のビデオにより前に占められていた空間に、記憶媒体上に記録されることが可能である。フローチャート４００に記載された処理と同様に、ダミーデータは、ステップ５２４に示されたように、残りの空間に挿入されうる。フィールド画像の結合は、望ましい再生速度を生成するために削除されうるが、図５Ｂから５Ｅに示されたようにフィールド画像を削除することは、改善されたトリックモード性能とともにより滑らかな再生を生じる。
【図面の簡単な説明】
【００５７】
【図１】
本発明の配置に従って、非順次走査フレーム構造フォーマットで記録されたビデオの再生速度を変更することができるリライタブルＤＶＤ装置のブロック図である。
【図２】
リライタブルＤＶＤディスクのデータ構造を示す図である。
【図３Ａ】スローモーション再生を発生するために、非順次走査フレーム構造フォーマットで記録されたビデオ表示の再生速度を変更する動作を示すフローチャートである。
【図３Ｂ】
半分の再生速度を発生するために従来のＧＯＰに適用される図３Ａの編集処理を示す図である。
【図３Ｃ】
半分の再生速度を発生するために従来のＧＯＰに適用される図３Ａの編集処理を示す図である。
【図３Ｄ】
半分の再生速度を発生するために従来のＧＯＰに適用される図３Ａの編集処理を示す図である。
【図３Ｅ】
半分の再生速度を発生するために従来のＧＯＰに適用される図３Ａの編集処理を示す図である。
【図３Ｆ】
半分の再生速度を発生するために従来のＧＯＰに適用される図３Ａの編集処理を示す図である。
【図３Ｇ】
半分の再生速度を発生するために従来のＧＯＰに適用される図３Ａの編集処理を示す図である。
【図４Ａ】
高速動作再生を発生するために、非順次走査フレーム構造フォーマットで記録されたビデオ表示の再生速度を変更する動作を示すフローチャートである。
【図４Ｂ】
２倍の再生速度を発生するために２つの従来のＧＯＰに適用される図４Ａの編集処理を示す図である。
【図４Ｃ】
２倍の再生速度を発生するために２つの従来のＧＯＰに適用される図４Ａの編集処理を示す図である。
【図４Ｄ】
２倍の再生速度を発生するために２つの従来のＧＯＰに適用される図４Ａの編集処理を示す図である。
【図４Ｅ】
２倍の再生速度を発生するために２つの従来のＧＯＰに適用される図４Ａの編集処理を示す図である。
【図４Ｆ】
２倍の再生速度を発生するために２つの従来のＧＯＰに適用される図４Ａの編集処理を示す図である。
【図５Ａ】
高速動作再生を発生するために、非順次走査フレーム構造フォーマットで記録されたビデオ表示の再生速度を変更する図４Ａの動作の代わりの配置を示すフローチャートである。
【図５Ｂ】
２倍の再生速度を発生するために２つの従来のＧＯＰに適用される図５Ａの編集処理を示す図である。
【図５Ｃ】
２倍の再生速度を発生するために２つの従来のＧＯＰに適用される図５Ａの編集処理を示す図である。
【図５Ｄ】
２倍の再生速度を発生するために２つの従来のＧＯＰに適用される図５Ａの編集処理を示す図である。
【図５Ｅ】
２倍の再生速度を発生するために２つの従来のＧＯＰに適用される図５Ａの編集処理を示す図である。
【図１】
2004534453.tif 000005
【図２】
2004534453.tif 000006
【図３Ａ】
2004534453.tif 000007
【図４Ａ】
2004534453.tif 000008
【図５Ａ】
2004534453.tif 000009
【国際公開パンフレット】
2004534453.tif 000010
2004534453.tif 000011
2004534453.tif 000012
2004534453.tif 000013
2004534453.tif 000014
2004534453.tif 000015
2004534453.tif 000016
2004534453.tif 000017
2004534453.tif 000018
2004534453.tif 000019
2004534453.tif 000020
2004534453.tif 000021
2004534453.tif 000022
2004534453.tif 000023
2004534453.tif 000024
2004534453.tif 000025
2004534453.tif 000026
2004534453.tif 000027
2004534453.tif 000028
2004534453.tif 000029
2004534453.tif 000030
2004534453.tif 000031
2004534453.tif 000032
2004534453.tif 000033
2004534453.tif 000034
2004534453.tif 000035
2004534453.tif 000036
2004534453.tif 000037
2004534453.tif 000038
2004534453.tif 000039
2004534453.tif 000040
2004534453.tif 000041
2004534453.tif 000042
2004534453.tif 000043
【国際調査報告】
2004534453.tif 000044
2004534453.tif 000045
2004534453.tif 000046